【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
シンボル期間における送信のための複数のシンボルのセットを識別するステップであって、前記複数のシンボルのセットの各々が、異なるストリームに関連付けられる、ステップと、
前記複数のシンボルのセットを、複数の時間間隔のそれぞれのサブセットにマッピングするステップであって、前記複数のシンボルのセットのうちの第1のシンボルのセットが、少なくとも1つのベース値とともに前記複数の時間間隔の前記それぞれのサブセットにマッピングされる、ステップと、
それぞれの時間周波数領域変換サイズにわたって前記複数のマッピングされたシンボルのセットに対して、それぞれの時間周波数領域変換を実行して、複数の周波数領域信号を取得するステップと、
前記複数の周波数領域信号に、それぞれの周波数領域位相ランプを適用するステップと、
前記複数の位相ランプされた周波数領域信号を、サブキャリアのセットのそれぞれのサブセットにマッピングするステップと、
前記サブキャリアのセットに前記マッピングされた複数の位相ランプされた周波数領域信号の、周波数時間領域変換に基づいて、前記送信のための時間領域波形を生成するステップと、
受信機に前記時間領域波形を、ワイヤレスデバイスによって送信するステップと
を含む方法。
【請求項２】
前記それぞれの時間周波数領域変換サイズに少なくとも部分的に基づいて、前記複数の時間間隔の前記それぞれのサブセットを決定するステップ
をさらに含む、請求項1に記載の方法。
【請求項３】
前記サブキャリアのセットの前記それぞれのサブセットの周波数領域アップサンプリング係数に少なくとも部分的に基づいて、前記複数の時間間隔の前記それぞれのサブセットを決定するステップ
をさらに含む、請求項1に記載の方法。
【請求項４】
前記周波数時間領域変換の変換サイズに少なくとも部分的に基づいて、前記複数の時間間隔の前記それぞれのサブセットを決定するステップ
をさらに含む、請求項1に記載の方法。
【請求項５】
前記それぞれの周波数領域位相ランプに少なくとも部分的に基づいて、前記複数の時間間隔の前記それぞれのサブセットを決定するステップ
をさらに含む、請求項1に記載の方法。
【請求項６】
前記複数のシンボルのセットが、前記時間領域波形内で互いに直交する、請求項1に記載の方法。
【請求項７】
前記複数の時間間隔の前記それぞれのサブセットが、互いに対して直交する、請求項1に記載の方法。
【請求項８】
前記サブキャリアのセットの前記それぞれのサブセットが、互いに対して直交する、請求項1に記載の方法。
【請求項９】
前記サブキャリアのセットの前記それぞれのサブセットのうちの少なくとも2つが、互いに対してインターリーブされたサブキャリアを備える、請求項1に記載の方法。
【請求項１０】
前記それぞれの時間周波数領域変換のうちの少なくとも2つの前記それぞれの時間周波数領域変換サイズが、同じ変換サイズであるか、または互いに対して異なる、請求項1に記載の方法。
【請求項１１】
前記サブキャリアのセットの前記それぞれのサブセットのうちの少なくとも2つの周波数領域アップサンプリング係数が、同じアップサンプリング係数であるか、または互いに対して異なる、請求項1に記載の方法。
【請求項１２】
前記複数のシンボルのセットのうちの前記第1のシンボルのセットが、第1のタイプの情報を備え、前記複数のシンボルのセットのうちの第2のシンボルのセットが、第2の異なるタイプの情報を備える、請求項1に記載の方法。
【請求項１３】
前記複数のシンボルのセットが、基準信号シーケンス、データストリーム、またはそれらの組合せを備える、請求項1に記載の方法。
【請求項１４】
前記複数のシンボルのセットのうちの少なくとも1つのための前記複数の時間間隔の前記それぞれのサブセットが、基準信号送信のために第2のワイヤレスデバイスに割り当てられた前記複数の時間間隔の第2のサブセットとは異なる、第1のワイヤレスデバイスに割り当てられた前記複数の時間間隔の第1のサブセットを備える、請求項13に記載の方法。
【請求項１５】
周波数領域シーケンスに対して周波数時間領域変換を実行して、前記基準信号シーケンス、前記データストリーム、またはそれらの組合せを取得するステップ
をさらに含む、請求項13に記載の方法。
【請求項１６】
前記サブキャリアのセットの前記それぞれのサブセットが、互いに対して不連続である、請求項1に記載の方法。
【請求項１７】
前記少なくとも1つのベース値がヌルシンボルまたはゼロである、請求項1に記載の方法。
【請求項１８】
ワイヤレス通信のための装置であって、
シンボル期間における送信のための複数のシンボルのセットを識別するための手段であって、前記複数のシンボルのセットの各々が、異なるストリームに関連付けられる、手段と、
前記複数のシンボルのセットを、複数の時間間隔のそれぞれのサブセットにマッピングするための手段であって、前記複数のシンボルのセットのうちの第1のシンボルのセットが、少なくとも1つのベース値とともに前記複数の時間間隔の前記それぞれのサブセットにマッピングされる、手段と、
それぞれの時間周波数領域変換サイズにわたって前記複数のマッピングされたシンボルのセットに対して、それぞれの時間周波数領域変換を実行して、複数の周波数領域信号を取得するための手段と、
前記複数の周波数領域信号に、それぞれの周波数領域位相ランプを適用するための手段と、
前記複数の位相ランプされた周波数領域信号を、サブキャリアのセットのそれぞれのサブセットにマッピングするための手段と、
前記サブキャリアのセットに前記マッピングされた複数の位相ランプされた周波数領域信号の、周波数時間領域変換に基づいて、前記送信のための時間領域波形を生成するための手段と、
受信機に前記時間領域波形を送信するための手段と
を備える装置。
【請求項１９】
前記それぞれの時間周波数領域変換サイズに少なくとも部分的に基づいて、前記複数の時間間隔の前記それぞれのサブセットを決定するための手段
をさらに備える、請求項18に記載の装置。
【請求項２０】
前記サブキャリアのセットの前記それぞれのサブセットの周波数領域アップサンプリング係数に少なくとも部分的に基づいて、前記複数の時間間隔の前記それぞれのサブセットを決定するための手段
をさらに備える、請求項18に記載の装置。
【請求項２１】
前記周波数時間領域変換の変換サイズに少なくとも部分的に基づいて、前記複数の時間間隔の前記それぞれのサブセットを決定するための手段
をさらに備える、請求項18に記載の装置。
【請求項２２】
前記それぞれの周波数領域位相ランプに少なくとも部分的に基づいて、前記複数の時間間隔の前記それぞれのサブセットを決定するための手段
をさらに備える、請求項18に記載の装置。
【請求項２３】
システムにおけるワイヤレス通信のための装置であって、前記システムが、
プロセッサと、
前記プロセッサと電子通信しているメモリと、
前記メモリ内に記憶された命令とを備え、前記命令が、前記プロセッサによって実行されると、前記装置に、
シンボル期間における送信のための複数のシンボルのセットを識別することであって、前記複数のシンボルのセットの各々が、異なるストリームに関連付けられる、ことと、
前記複数のシンボルのセットを、複数の時間間隔のそれぞれのサブセットにマッピングすることであって、前記複数のシンボルのセットのうちの第1のシンボルのセットが、少なくとも1つのベース値とともに前記複数の時間間隔の前記それぞれのサブセットにマッピングされる、ことと、
それぞれの時間周波数領域変換サイズにわたって前記複数のマッピングされたシンボルのセットに対して、それぞれの時間周波数領域変換を実行して、複数の周波数領域信号を取得することと、
前記複数の周波数領域信号に、それぞれの周波数領域位相ランプを適用することと、
前記複数の位相ランプされた周波数領域信号を、サブキャリアのセットのそれぞれのサブセットにマッピングすることと、
前記サブキャリアのセットに前記マッピングされた複数の位相ランプされた周波数領域信号の、周波数時間領域変換に基づいて、前記送信のための時間領域波形を生成することと、
受信機に前記時間領域波形を送信することと
を行わせるように動作可能である、装置。
【請求項２４】
前記命令が、前記プロセッサによって、
前記それぞれの時間周波数領域変換サイズに少なくとも部分的に基づいて、前記複数の時間間隔の前記それぞれのサブセットを決定すること
を行うように実行可能である、請求項23に記載の装置。
【請求項２５】
前記命令が、前記プロセッサによって、
前記サブキャリアのセットの前記それぞれのサブセットの周波数領域アップサンプリング係数に少なくとも部分的に基づいて、前記複数の時間間隔の前記それぞれのサブセットを決定すること
を行うように実行可能である、請求項23に記載の装置。
【請求項２６】
前記命令が、前記プロセッサによって、
前記周波数時間領域変換の変換サイズに少なくとも部分的に基づいて、前記複数の時間間隔の前記それぞれのサブセットを決定すること
を行うように実行可能である、請求項23に記載の装置。
【請求項２７】
前記命令が、前記プロセッサによって、
前記それぞれの周波数領域位相ランプに少なくとも部分的に基づいて、前記複数の時間間隔の前記それぞれのサブセットを決定すること
を行うように実行可能である、請求項23に記載の装置。
【請求項２８】
前記複数のシンボルのセットが、前記時間領域波形内で互いに直交する、請求項23に記載の装置。
【請求項２９】
前記複数の時間間隔の前記それぞれのサブセットが、互いに対して直交する、請求項23に記載の装置。
【請求項３０】
前記サブキャリアのセットの前記それぞれのサブセットが、互いに対して直交する、請求項23に記載の装置。
【請求項３１】
前記少なくとも1つのベース値がヌルシンボルまたはゼロである、請求項23に記載の装置。
【請求項３２】
ワイヤレス通信のためのコードを記憶する非一時的コンピュータ可読記憶媒体であって、前記コードが、
シンボル期間における送信のための複数のシンボルのセットを識別することであって、前記複数のシンボルのセットの各々が、異なるストリームに関連付けられる、ことと、
前記複数のシンボルのセットを、複数の時間間隔のそれぞれのサブセットにマッピングすることであって、前記複数のシンボルのセットのうちの第1のシンボルのセットが、少なくとも1つのベース値とともに前記複数の時間間隔の前記それぞれのサブセットにマッピングされる、ことと、
それぞれの時間周波数領域変換サイズにわたって前記複数のマッピングされたシンボルのセットに対して、それぞれの時間周波数領域変換を実行して、複数の周波数領域信号を取得することと、
前記複数の周波数領域信号に、それぞれの周波数領域位相ランプを適用することと、
前記複数の位相ランプされた周波数領域信号を、サブキャリアのセットのそれぞれのサブセットにマッピングすることと、
前記サブキャリアのセットに前記マッピングされた複数の位相ランプされた周波数領域信号の、周波数時間領域変換に基づいて、前記送信のための時間領域波形を生成することと、
受信機に前記時間領域波形を送信することと
を行うようにプロセッサによって実行可能な命令を備える、非一時的コンピュータ可読記憶媒体。